(57)【要約】【課題】本発明の目的とするところは、病院の診察待合室、ゴルフ場、宿泊レジャー施設等の浴室等に配置されている共用スリッパを、多くの人が繰り返し使用しても、使用するたびに消毒殺菌、消臭され、常に清潔なスリッパを安心して快適に使用できるようにすることである。【解決の手段】本発明の共用スリッパ消毒箱は、使用済のスリッパを収納箱に納め、引出しあるいは開閉扉をしめると、自動的に紫外線殺菌灯あるいはオゾン発生器が点灯稼動し、予め設定された時間スリッパに照射反応させて、消毒殺菌消臭することにより、次の利用者が消毒済スリッパとして認識して使用することができ、使用後は利用者が空いている収納箱へ使用済スリッパを返却することによって、次の人、次の人と消毒済のスリッパを安心快適に使用することができるようにした。【選択図】図２
2011056224.tif 000002
【特許請求の範囲】
【請求項１】
スリッパを消毒殺菌、消臭処理する装置において、スリッパ一足分が入る大きさの収納箱とその前方正面に設けた開口部に、スリッパ出し入れのための引出しあるいは開閉扉を設け、内部後方上部に紫外線殺菌灯、オゾン発生器を個別あるいは併用して構成したことを特徴とする共用スリッパ消毒箱。
【請求項２】
前記収納箱の中にスリッパがあるときと、ないときを識別検出する方法の一つとして、スリッパを載せる板をシーソーのように形成し、支点をやや不均衡の位置、即ち支点からそれぞれの端までの距離が異なるように構成し、且つ距離の短い方がやや重くなるようにバランス調整して、スリッパを載せたとき、その重みによりシーソーが反対側に傾斜することにより、その変位を検出してスリッパの有無を識別するスリッパ台を備えた請求項１に記載の共用スリッパ消毒箱。
【請求項３】
前記収納箱の中にスリッパがあるときと、ないときを識別検出する方法の一つとして、スリッパを載せる板の片側を蝶番で支持し、他方をバネでやや傾斜した状態に支持、あるいは吊るして保持し、スリッパを載せれば重みにより下がり、板の他端の変異を検出してスリッパの有無を識別するスリッパ台を備えた請求項１に記載の共用スリッパ消毒箱。
【請求項４】
前記収納箱の中にスリッパがあるときと、ないときを識別検出する方法の一つとして、スリッパを載せたとき、つま先がかかる位置にテコ支点に不均衡に支持されたハネ板を設けつま先の重みで押し下げられ、テコ支点を介してハネ板の他端は押しあげられるようにして変位を検出して、スリッパの有無を識別することを特徴とした請求項１に記載の共用スリッパ消毒箱。
【請求項５】
請求項１に記載の収納箱に、請求項２，３，４のスリッパの有無の検出機構を組み合わせて引出しあるいは開閉扉が閉と、スリッパ有りの二つの条件をリミットスイッチ等の電気信号で検出し、自動的に紫外線殺菌灯、オゾン発生器を稼働させスリッパの消毒殺菌、消臭を行うようにした請求項１の共用スリッパ消毒箱。
【請求項６】
請求項１に記載の共用スリッパ消毒箱において、紫外線殺菌灯、オゾン発生器の照射反応中は、請求項５に記載のリミットスイッチ等の電気信号とシンクロして、引出しあるいは開閉扉をロックする機構を併設した請求項１に記載の共用スリッパ消毒箱。
【発明の詳細な説明】
【技術分野】
【０００１】  本発明は、病院、ゴルフ場更衣室、宿泊レジャー施設等で共用して使用するスリッパの消毒殺菌、消臭に関するものである。
【背景技術】
【０００２】  病院の診察待合室にあるスリッパは、あらかじめ消毒、消臭したものを間口、あるいは棚に並べてあり、利用者が任意に使用しているが、利用者からみると、それが消毒され清潔なものであるかどうかは、病院側を信頼する以外なく、また利用した人が使用済スリッパを回収カゴに入れず、元の棚に戻してしまう人もおり、不潔に感じながらもやむを得ず使用することが多い。【０００３】  また、ゴルフ場、宿泊レジャー施設内の浴場などでは、浴場まで履いてきたスリッパは間口で脱ぎ入浴する。入浴後、履いてきたスリッパと同じものを捜すことは困難でやむを得ず、他人が使用したスリッパを使用することになり、水虫等、雑菌に接触している可能性に不安を感じる人が多い。【０００４】  このように、病院の待合室、ゴルフ場、レジャー施設の浴場などで、提供されている共用スリッパは、清潔で安心快適に使用されるべきですが、上述のように利用者に不安、不快な気持を与えているのが現状である。【０００５】  このような不快感を排除するため、スリッパ数足から数十足をまとめて消毒殺菌する紫外線殺菌灯付きスリッパボックスが市販されているが、照射の不均一、照射時間のバラツキ等による消毒殺菌が不十分になる欠点が指摘されている。
【発明の概要】
【発明が解決しようとする課題】
【０００６】  スリッパを共用利用として提供する病院、ゴルフ場、宿泊レジャー施設等において、利用者が入れ替わり使用する時は、使用される前に必ず雑菌を消毒し、不快な臭気を除去し、安心快適に使用できるようにすることである。しかしながら、共用利用として提供されているスリッパは、利用者側からみると、必ずしも清潔であると確認できず、安心して快適に利用しているとは限らない。【０００７】  本発明は、このような問題に着目してなされたものであり、その目的とするところは、病院、ゴルフ場、宿泊レジャー施設等において、共用利用されるスリッパを使用者が利用する目の前で必ず消毒殺菌、消臭れたものが使用できるようにした共用スリッパ消毒箱を提供するものである。
【課題を解決するための手段】
【０００８】  上記、問題を解決するために、図１に示すように、スリッパ２が一足はいる大きさの収納箱１を用意する。収納箱１には引出し２１あるいは開閉扉２２を設け、スリッパ２の出し入れができるようにする。引出し２１あいは開閉扉２２には、閉まった状態を検出するため開閉検出リミットスイッチ６の電気信号による検出装置を付設する。【０００９】  図２、図３において収納箱１の中には、スリッパ２の有無を識別するため、スリッパ２の自重あるいは偏重心により、上下または斜めに変位する台３，３２、あるいは偏心テコ３４などの支点を利用して変位させて、スリッパの有無を検出するスリッパ有無検出リミットスイッチ７による検出装置を付設する。【００１０】  さらに、収納箱１の内部後方に消毒殺菌、消臭の機能をもつ紫外線殺菌灯４あるいは、オゾン発生器５を個別にまたは併用して配設する。紫外線殺菌灯４あるいはオゾン発生器５による消毒殺菌、消臭の効力については、文献あるいは実績に証明されており、本共用スリッパ消毒箱には適切な能力のものを選定する。【００１１】  消毒殺菌、消臭の実行は、スリッパ２を収納箱１に納め、引出し２１あるいは開閉扉２２を閉めると、スリッパ２が有ること、引出し２１あるいは開閉扉２２が閉まっていることを、スリッパ有無検出リミットスイッチ７および開閉検出リミットスイッチ６により認識して、自動的に紫外線殺菌灯４あるいはオゾン発生機５を点灯稼動させ、予め設定された時間スリッパ２に照射反応させて消毒殺菌、消臭を行う。照射反応中は消毒中表示灯４１を点灯すると共に、安全のため引出し２１あるいは開閉扉２２はロックピン８により開閉不可とする。【００１２】  所定の時間の消毒殺菌、消臭が終了した後、引出し２１あるいは開閉扉２２のロックピン８が解除され、収納箱１には消毒済表示灯４２を点灯、利用者に直前に消毒されたスリッパであることを知らせる。【００１３】  スリッパ２を使用する人は、消毒済表示灯４２が点灯している収納箱１からスリッパ２を取り出して、消毒殺菌、消臭され清潔であることを認識して、安心快適に使用することができる。【００１４】  スリッパ２を取り出した後、引出し２１あるいは開閉扉２２を閉めると、収納箱１には空き表示灯４３が点灯する。【００１５】  スリッパを使用し終えた人は、空き表示灯４３が点灯している収納箱１に、使用済のスリッパ２を入れたのち、引出し２１あるいは開閉扉２２を閉めることにより、利用者のスリッパが収納箱１に返却され一回りの使用を完結する。【００１６】  使用済スリッパ２を収納箱１に納め、引出し２１あるいは開閉扉２２を閉めると、収納箱１はスリッパ有り、引出し２１あるいは開閉扉２２閉を検出、再び紫外線殺菌灯４あるいはオゾン発生器５が点灯稼動し、次の利用者のためのスリッパ２を消毒殺菌、消臭を行う。【００１７】  この収納箱１は、施設の規模に合わせて必要数設置されるが、不特定多数の人が任意に共用スリッパを利用するとき、この収納箱１を経由して使用されるためスリッパは必ず消毒殺菌、消臭され、次の利用者が消毒済表示灯４２が点灯している収納箱１から取り出したスリッパ２を使用すれば、常に消毒済の清潔なスリッパ２であることを認識して、安心快適に使用する���とができる。
【発明の効果】
【００１８】  本発明の共用スリッパ消毒箱を設置することにより、病院、ゴルフ場、レジャー施設等は利用者に安心感、清潔感を与え、それぞれの施設のイメージアップにつながる。【００１９】  本発明の共用スリッパ消毒箱を設置することにより、共用スリッパの利用者が安心、快適に使用できるとともに、利用者間での細菌、水虫等の感染を防止する。【００２０】  本発明の共用スリッパ消毒箱を設置することにより、病院、ゴルフ場、レジャー施設等はスリッパの消毒費用、使用済のスリッパの回収等に要する経費の削減ができる。【００２１】  本発明の共用スリッパ消毒箱を設置することにより、病院、ゴルフ場、レジャー施設等においては、使用済のスリッパが放置されることによる雑菌の飛散や悪臭がなくなり、施設内が衛生的で爽快な環境がえられる。
【図面の簡単な説明】
【００２２】
【図１】本発明の共用スリッパ消毒箱の外観図の一例
【図２】本発明のシーソー式台による消毒箱の「消毒中」の断面図
【図３】図２からスリッパの着脱時の状態を示す断面図
【図４】本発明のシーソー式台による消毒箱のスリッパなし状態の断面図
【図５】図４から引出しを引き出した状態を示す断面図
【図６】本発明の片吊式台による消毒箱の「消毒中」の状態の断面図
【図７】図６からスリッパを取り出した後の状態の断面図
【図８】本発明のハネ板による消毒箱の消毒中の状態の断面図
【図９】図８からスリッパを取り出した後の状態の断面図
【発明を実施するための形態】
【００２３】  本発明の実施にあたり、収納箱１の中のスリッパ２の有無を識別することが重要であり、識別方法の実施例のいくつかを図２−図９を用いて説明する。
【実施例１】
【００２４】  図２および図４は、シーソー式台３による実施例をを示す断図面である。図２はシーソー式台３にスリッパ２を載せた状態を示す。図４はスリッパ２がない状態を示す。シーソー式台３にはシーソー支点３１を中央よりやや後方の位置に設け、且つ後方部が下がるようにバランスウエイト３３により調整し、図４の状態を維持させる。そこにスリッパ２を載せると、スリッパの重みの大部分はシーソー支点３１の前方にかかり、シーソー台３は前傾し、スリッパ有無識別リミットスイッチ７に接圧し、スリッパ有りを識別する。この方法は、シーソーを偏重心に構成し、スリッパ２の自重を利用して、スリッパの有無を識別することを特徴とするものである。
【実施例２】
【００２５】  図６は、片吊式台３３による実施例を示す断図面である。片吊式台３３は、その一端を蝶番３４で固定し、他端が上下に動くようにし、伸縮するスプリング３４を介して、やや傾斜させて吊下げてある。図６の状態は、スリッパ２が載っており、その重みでスプリング３４が伸び、片吊式台３３は下がり、スリッパ有無検出リミットスイッチ７を接圧し、スリッパ２有りを識別する。図７は、スリッパ２を取り出した後の状態を示し、片吊式台３３は、スプリング３４により引き上げられ、スリッパ有無検出リミットスイッチ７から離れ、スリッパ２の無しを識別するようにしたことを特徴とするものである。
【実施例３】
【００２６】  図８および図９は、ハネ板３７による実施例を示す断面図である。図８は、スリッパ２が入っている状態を示すもので、ハネ板３７は、スリッパ２のつま先部がかかる位置に配置され、テコ支点３８に支持されている。ズレ止め台３９はスリッパ２がズレるのを防止するように形造る。ハネ板３７はスリッパ２のつま先部の重みにより押し下げられ、スリッパ有無検出リミットスイッチ７に接圧し、スリッパ２の有りを識別する。図９はスリッパ２がない状態を示すもので、ハネ板３７はスリッパ２が載る方が高くなるようにテコ支点３８の位置を設定し、スリッパを載せたとき自重により下がるようにして、スリッパの有無を識別するようにしたことを特徴とするものである。
【符号の説明】
【００２７】  １・・・収納箱、２・・・スリッパ、３・・・シーソー式台、４・・・紫外線殺菌灯、５・・・オゾン発生器、６・・・開閉検出リミットスイッチ、７・・・スリッパ有無検出リミットスイッチ、８・・・ロックピン、２１・・・引出し、２２・・・開閉扉、３１・・・シーソー支点、３２・・・バランスウエイト、３３・・・片吊式台、３４・・・蝶番、３５・・・スプリング、３６・・・ハネ板、３７・・・テコ支点、３８・・・ズレ止め台、４１・・・消毒中表示灯、４２・・・消毒済表示灯、４３・・・空き表示灯
【図１】
2011056224.tif 000003
【図２】
2011056224.tif 000004
【図３】
2011056224.tif 000005
【図４】
2011056224.tif 000006
【図５】
2011056224.tif 000007
【図６】
2011056224.tif 000008
【図７】
2011056224.tif 000009
【図８】
2011056224.tif 000010
【図９】
2011056224.tif 000011